(57)【要約】  プロペラファン（３０）は、回転軸（１１）の周りに回転するボス部（１０）と、ボス部の外表面に設けられた翼（２０）とを備える。翼（２０）は、前縁部（２１）と、後縁部（２２）と、前縁部（２１）の前縁最外周部（２１Ｔ）と後縁部（２２）の後縁最外周部（２２Ｔ）とを接続する外周縁部（２４）とを含む。後縁最外周部（２２Ｔ）よりも回転半径方向における内側の位置には、回転方向とは反対の方向に向かって後縁部（２２）の一部が舌片状に延出したような形状を有するガイド部（２６）が設けられている。プロペラファン（３０）によれば、翼（２０）から流体が送出される際の流体の挙動を規定できる。
2016117413.tif 000002
【特許請求の範囲】
【請求項１】
回転軸周りに回転するボス部と、
前記ボス部の外表面に設けられた翼とを備え、
前記翼は、
回転方向における前方に位置する前縁部と、
回転方向における後方に位置する後縁部と、
前記前縁部の最外周部である前縁最外周部と前記後縁部の最外周部である後縁最外周部とを接続し、周方向に沿って円弧状に延びる形状を有する外周縁部と、を含み、
前記回転軸に対して平行な方向から前記翼を見た場合に、前記後縁最外周部が位置している箇所での前記後縁部に対する接線と、前記後縁最外周部が位置している前記箇所と前記回転軸の位置とを結ぶ直線とのなす角度をαと定義すると、前記後縁最外周部は、角度αが６０°となる位置であってかつ最も回転半径方向の外側にある箇所に位置しており、
前記後縁最外周部よりも回転半径方向における内側の位置には、回転方向とは反対の方向に向かって前記後縁部の一部が舌片状に延出したような形状を有するガイド部が設けられている、
プロペラファン。
【請求項２】
前記ガイド部は、前記ガイド部の先端部が周方向よりも回転半径方向の外側を向くようにして前記後縁部から延出している、
請求項１に記載のプロペラファン。
【請求項３】
前記ガイド部は、前記ガイド部の正圧面側が軸方向に凸となり且つ前記ガイド部の負圧面側が軸方向に凹となるように反った形状を有している、
請求項１または２に記載のプロペラファン。
【請求項４】
前記回転軸に対して垂直な方向から前記ガイド部を見た場合に、前記回転軸に垂直な面に対して前記ガイド部の延出方向がなしている角度をθとすると、
−１０°≦θ≦４５°である、
請求項３に記載のプロペラファン。
【請求項５】
前記翼のうち、前記ボス部の前記外表面に接続している部分を翼根部とすると、
前記翼根部は、前記翼根部の正圧面側が軸方向に凸となり且つ前記翼根部の負圧面側が軸方向に凹となるように反った形状を有している、
請求項１から４のいずれかに記載のプロペラファン。
【請求項６】
前記ガイド部は、前記後縁部のうちの半分よりも外周部寄りの位置に設けられている、請求項１から５のいずれかに記載のプロペラファン。
【請求項７】
前記外周縁部は、前記外周縁部の一部が回転半径方向の内側に向かって凹むようにして形成された切り欠き部を有している、
請求項１から６のいずれかに記載のプロペラファン。
【請求項８】
回転軸周りに回転するボス部と、
前記ボス部の外表面に設けられた翼とを備え、
前記翼は、
回転方向における前方に位置する前縁部と、
回転方向における後方に位置する後縁部と、
前記前縁部の最外周部である前縁最外周部と前記後縁部の最外周部である後縁最外周部とを接続し、周方向に沿って円弧状に延びる形状を有する外周縁部と、を含み、
前記外周縁部の回転方向における最後方の位置には、
回転方向とは反対の方向に向かって前記後縁部の一部が舌片状に延出したような形状を有するガイド部が設けられており、
前記ガイド部の半径方向における外側縁のうちの前記外周縁部に接続している部分は、前記外周縁部と略同一の半径で前記外周縁部に連続するように形成されており、
前記ガイド部は、前記ガイド部の正圧面側が軸方向に凸となり且つ前記ガイド部の負圧面側が軸方向に凹となるように反った形状を有している、
プロペラファン。
【請求項９】
請求項１から８のいずれかに記載のプロペラファンを備える、
流体送り装置。
【請求項１０】
樹脂成形品からなる請求項１から９のいずれかに記載のプロペラファンを成形するために用いられる、
成形用金型。
【発明の詳細な説明】
【技術分野】
【０００１】
この発明は、流体を送り出すプロペラファンと、そのようなプロペラファンを備えた流体送り装置と、そのようなプロペラファンを樹脂により成形する際に用いられる成形用金型とに関する。
【背景技術】
【０００２】
プロペラファンは、軸方向（回転軸に対して平行な方向）に沿って主として流れるような流体を生成する。特許第４１３２８２６号公報（特許文献１）に開示されたプロペラファンは、後縁部にＵ字型のへこみが設けられた翼を備えている。このプロペラファンは、Ｕ字型のへこみの存在によって、翼先端部および翼端部において発生した渦の変動および発達を抑制し、翼面から気流が剥離してしまうことも抑制する。【０００３】
特開平０８−１２１３９２号公報（特許文献２）に開示されたプロペラファンは、回転方向における後ろ側の前面周辺部に煽り板が設けられた翼を備えている。このプロペラファンは、煽り板の存在によって、広範囲に変化に富んだ自然の風に近い風を生成する。
【先行技術文献】
【特許文献】
【０００４】
【特許文献１】特許第４１３２８２６号公報
【特許文献２】特開平０８−１２１３９２号公報
【発明の概要】
【発明が解決しようとする課題】
【０００５】
従来のプロペラファンは、翼面上における渦の挙動や、ファン全体の送風効率等に着目しているのみであり、翼から流体が送出される時点での流体の挙動（たとえば、流体が翼から離れる際にその流体が進む方向やその流体の流量）についてまではほとんど配慮されていなかった。したがって、翼の回転によって翼の周囲で発生した気流は、翼の後縁部に到達したとしてもそのまま特段規定されることなく（それまでの成り行きを変えることなく）、翼面の影響を受けた状態のままで翼面から離れていた。【０００６】
本発明は、上述のような実情に鑑みてなされたものであって、翼から流体が送出される際の流体の挙動を規定可能な構成を備えたプロペラファン、そのようなプロペラファンを備えた流体送り装置、および、そのようなプロペラファンを樹脂により成形する際に用いられる成形用金型を提供することを目的とする。
【課題を解決するための手段】
【０００７】
本発明のある局面に基づくプロペラファンは、回転軸周りに回転するボス部と、前記ボス部の外表面に設けられた翼とを備え、上記翼は、回転方向における前方に位置する前縁部と、回転方向における後方に位置する後縁部と、上記前縁部の最外周部である前縁最外周部と上記後縁部の最外周部である後縁最外周部とを接続し、周方向に沿って円弧状に延びる形状を有する外周縁部と、を含み、上記回転軸に対して平行な方向から上記翼を見た場合に、上記後縁最外周部が位置している箇所での上記後縁部に対する接線と、上記後縁最外周部が位置している上記箇所と上記回転軸の位置とを結ぶ直線とのなす角度をαと定義すると、上記後縁最外周部は、角度αが６０°となる位置であってかつ最も回転半径方向の外側にある箇所に位置しており、上記後縁最外周部よりも回転半径方向における内側の位置には、回転方向とは反対の方向に向かって上記後縁部の一部が舌片状に延出したような形状を有するガイド部が設けられている。【０００８】
好ましくは、上記ガイド部は、上記ガイド部の先端部が周方向よりも回転半径方向の外側を向くようにして上記後縁部から延出している。【０００９】
好ましくは、上記ガイド部は、上記ガイド部の正圧面側が軸方向に凸となり且つ上記ガイド部の負圧面側が軸方向に凹となるように反った形状を有している。【００１０】
好ましくは、上記回転軸に対して垂直な方向から上記ガイド部を見た場合に、上記回転軸に垂直な面に対して上記ガイド部の延出方向がなしている角度をθとすると、−１０°≦θ≦４５°である。【００１１】
好ましくは、上記翼のうち、上記ボス部の上記外表面に接続している部分を翼根部とすると、上記翼根部は、上記翼根部の正圧面側が軸方向に凸となり且つ上記翼根部の負圧面側が軸方向に凹となるように反った形状を有している。【００１２】
好ましくは、上記ガイド部は、上記後縁部のうちの半分よりも外周部寄りの位置に設けられている。【００１３】
好ましくは、上記外周縁部は、上記外周縁部の一部が回転半径方向の内側に向かって凹むようにして形成された切り欠き部を有している。【００１４】
本発明の他の局面に基づくプロペラファンは、回転軸周りに回転するボス部と、上記ボス部の外表面に設けられた翼とを備え、上記翼は、回転方向における前方に位置する前縁部と、回転方向における後方に位置する後縁部と、上記前縁部の最外周部である前縁最外周部と上記後縁部の最外周部である後縁最外周部とを接続し、周方向に沿って円弧状に延びる形状を有する外周縁部と、を含み、上記外周縁部の回転方向における最後方の位置には、回転方向とは反対の方向に向かって上記後縁部の一部が舌片状に延出したような形状を有するガイド部が設けられており、上記ガイド部の半径方向における外側縁のうちの上記外周縁部に接続している部分は、上記外周縁部と略同一の半径で上記外周縁部に連続するように形成されており、上記ガイド部は、上記ガイド部の正圧面側が軸方向に凸となり且つ上記ガイド部の負圧面側が軸方向に凹となるように反った形状を有している。【００１５】
本発明に基づく流体送り装置は、本発明に基づく上記のプロペラファンを備える。
本発明に基づく成形用金型は、樹脂成形品からなる本発明に基づく上記のプロペラファンを成形するために用いられる。
【発明の効果】
【００１６】
上記のプロペラファンによれば、翼の後縁部側に舌片状のガイド部が設けられる。ガイド部によれば、翼の回転によって翼面上で発生した気流の挙動は、流体が翼から離れる際に効果的に規定されることが可能となる。
【図面の簡単な説明】
【００１７】
【図１】実施の形態１における流体送り装置を分解して示す側面図である。
【図２】実施の形態１におけるプロペラファンを示す側面図である。
【図３】実施の形態１に関し、負圧面側（吸込側）から見たプロペラファンを示す平面図である。
【図４】実施の形態１に関し、負圧面側（吸込側）から見たプロペラファンの翼を示す拡大平面図である。
【図５】実施の形態１に関し、正圧面側（噴出側）から見たプロペラファンの翼を示す拡大斜視図である。
【図６】図５中のＶＩ−ＶＩ線に沿った矢視断面図である。
【図７】図５中のＶＩＩ−ＶＩＩ線に沿った矢視断面図である。
【図８】実施の形態１におけるプロペラファンの翼が動作している様子（負圧面側から見た様子）を示す斜視図である。
【図９】実施の形態１におけるプロペラファンの翼が動作している様子を示す断面図である。
【図１０】実施の形態１におけるプロペラファンの翼が動作している様子を示しており、翼端渦の挙動を説明するための側面図である。
【図１１】実施の形態１におけるプロペラファンの翼が動作している様子を示しており、翼端渦の挙動を説明するための平面図である。
【図１２】実施の形態１におけるプロペラファンの翼が動作している様子を示しており、翼先端渦の挙動を説明するための側面図である。
【図１３】実施の形態１におけるプロペラファンの翼が動作している様子を示しており、翼先端渦の挙動を説明するための平面図である。
【図１４】比較例におけるプロペラファンを示す側面図である。
【図１５】比較例に関し、負圧面側（吸込側）から見たプロペラファンを示す平面図である。
【図１６】比較例におけるプロペラファンの翼が動作している様子（負圧面側から見た様子）を示す斜視図である。
【図１７】比較例におけるプロペラファンの翼が動作している様子を示す断面図である。
【図１８】比較例におけるプロペラファンの翼が動作している様子を示しており、翼端渦の挙動を説明するための側面図である。
【図１９】比較例におけるプロペラファンの翼が動作している様子を示しており、翼端渦の挙動を説明するための平面図である。
【図２０】比較例におけるプロペラファンの翼が動作している様子を示しており、翼先端渦の挙動を説明するための側面図である。
【図２１】比較例におけるプロペラファンの翼が動作している様子を示しており、翼先端渦の挙動を説明するための平面図である。
【図２２】実施の形態２に関し、負圧面側（吸込側）から見たプロペラファンの翼を示す拡大平面図である。
【図２３】実施の形態３に関し、負圧面側（吸込側）から見たプロペラファンの翼を示す拡大平面図である。
【図２４】実施の形態４に関し、負圧面側（吸込側）から見たプロペラファンの翼を示す拡大平面図である。
【図２５】実施の形態５におけるプロペラファンの翼を示す断面図である。
【図２６】実施の形態６におけるプロペラファンの翼を示す断面図である。
【図２７】実施の形態７におけるプロペラファンを示す側面図である。
【図２８】実施の形態７に関し、負圧面側（吸込側）から見たプロペラファンを示す平面図である。
【図２９】実施の形態７の変形例におけるプロペラファンを示す平面図である。
【図３０】実施の形態８におけるプロペラファンを示す側面図である。
【図３１】実施の形態８に関し、負圧面側（吸込側）から見たプロペラファンを示す平面図である。
【図３２】実施の形態８に関する実験例の実施例１で採用されたプロペラファンの負圧面側（吸込側）から見た様子を示す平面図である。
【図３３】実施の形態８に関する実験例の比較例１で採用されたプロペラファンの負圧面側（吸込側）から見た様子を示す平面図である。
【図３４】実施の形態８に関する実験例の結果として、実施例１および比較例１のそれぞれにおけるプロペラファンの径方向の位置と風速との関係を示す図である。
【図３５】実施の形態８に関する実験例の結果として、実施例１および比較例１のそれぞれにおけるプロペラファンの回転数と風量との関係を示す図である。
【図３６】実施の形態８に関する実験例の結果として、実施例１および比較例１のそれぞれにおけるプロペラファンの風量と騒音との関係を示す図である。
【図３７】実施の形態９における成形用金型を示す断面図である。
【発明を実施するための形態】
【００１８】
本発明に基づいた各実施の形態について、以下、図面を参照しながら説明する。各実施の形態の説明において、個数、量などに言及する場合、特に記載がある場合を除き、本発明の範囲は必ずしもその個数、量などに限定されない。各実施の形態の説明において、同一の部品、相当部品に対しては、同一の参照番号を付し、重複する説明は繰り返さない場合がある。特に制限が無い限り、各実施の形態に示す構成に示す構成を適宜組み合わせて用いることは、当初から予定されていることである。
【００１９】
［実施の形態１］
図１〜図７を参照して、実施の形態１における流体送り装置１００およびプロペラファン３０の構成について説明する。図１に示すように、流体送り装置１００は、プロペラファン３０と、駆動モータ（図示せず）とを備える。
【００２０】
（プロペラファン３０）
図２は、プロペラファン３０を示す側面図である。図３は、負圧面２０Ｓの側（吸込側）から見たプロペラファン３０を示す平面図である。プロペラファン３０は、ボス部１０と、ボス部１０の外表面に設けられた７枚の翼２０（図３）とを含む。プロペラファン３０は、たとえばＡＳ（acrylonitrile-styrene）樹脂等の合成樹脂を用いて、ボス部１０と７枚の翼２０とが一体的に成形された１つの樹脂成形品として構成される。プロペラファン３０の直径はたとえば２００ｍｍであり、全高はたとえば５０ｍｍである。
【００２１】
ボス部１０は、プロペラファン３０を、駆動モータ（図示せず）の出力軸に接続するための部位である。図示しないスクリューキャップを用いて、ボス部１０はモータの出力軸に取り付けられる。ボス部１０は、駆動モータからの駆動力を受けて、回転軸１１の周りに矢印１２に示す方向に回転する。
【００２２】
翼２０は、ボス部１０の外表面から回転半径方向の外側に延出するように形成されている。本実施の形態においては、７枚の翼２０が回転方向に沿って互いに離間するように等間隔に配置されており、これらの形状はいずれも同一である。ボス部１０が回転軸１１の周りに回転することに伴って、翼２０も、ボス部１０と一体的に回転軸１１の周りに回転する。
【００２３】
図４は、負圧面側（吸込側）から見たプロペラファン３０の翼２０を示す拡大平面図である。図５は、正圧面側（噴出側）から見たプロペラファン３０の翼２０を示す拡大斜視図である。図６は、図５中のＶＩ−ＶＩ線に沿った矢視断面図である。図７は、図５中のＶＩＩ−ＶＩＩ線に沿った矢視断面図である。
【００２４】
（翼２０の詳細構成）
図２〜図７に示すように、翼２０は、前縁部２１、後縁部２２、翼根部２３および外周縁部２４を含み、これらの内側に、厚みを有する翼板部２５およびガイド部２６が形成されている。換言すると、厚みを有する翼板部２５およびガイド部２６の周囲に、翼２０の前縁部２１、後縁部２２、翼根部２３および外周縁部２４が形成されている。
【００２５】
翼板部２５は、流体の送出（気流の生成）という、翼２０の本来的な機能を主として担う部位である。一方で、後縁部２２の一部（ガイド部２６）は、回転方向とは反対の方向に向かって略Ｕ字状に突出したような形状を有しており、後縁部２２のＵ字状部分の内側に、ガイド部２６が形成されている。
【００２６】
ガイド部２６は、翼板部２５よりも回転方向における後ろ側に位置し、回転方向とは反対の方向に向かって舌片状に延出したような形状を有する。ガイド部２６は、翼板部２５上で発生した気流が翼２０から離れる際に、その流体の挙動（その流体が進む方向やその流体の流量）を規定するための部位である。翼２０から流体が離れる際、流体の挙動は、ガイド部２６の表面形状に応じて規定されることになる。
【００２７】
図４〜図６を主として参照しながら、プロペラファン３０の翼２０に関してより詳細に説明する。翼２０の翼根部２３は、翼２０の付け根部分に相当し、翼２０をボス部１０の外表面に接続している。
【００２８】
翼２０の前縁部２１は、翼２０のうち、回転方向（矢印１２方向）の前方側に位置する部位である。プロペラファン３０を軸方向から見た場合、前縁部２１は、回転方向における翼根部２３の前端部を起点として、回転半径方向の内側から外側に向けて延びている。前縁部２１は、回転半径方向の内側から外側に向かうにつれて、凹状に湾曲しながらプロペラファン３０の回転方向の前方側に向かって滑らかに延びている。
【００２９】
翼２０の後縁部２２は、翼２０のうち、回転方向（矢印１２方向）の後方側に位置する部位である。プロペラファン３０を軸方向から見た場合、後縁部２２（後縁部２２のうち、ガイド部２６が設けられている部分を除いた部分）は、回転方向における翼根部２３の後端部を起点として、回転半径方向の内側から外側に向けて延びている。後縁部２２（後縁部２２のうち、ガイド部２６が設けられている部分を除いた部分）は、回転半径方向の内側から外側に向かうにつれて、凸状に湾曲しながらプロペラファン３０の回転方向の前方側に向かって滑らかに延びている。
【００３０】
外周縁部２４は、前縁部２１の最外周部である前縁最外周部２１Ｔ（翼先端部ともいう）と後縁部２２の最外周部である後縁最外周部２２Ｔとを接続し、周方向に沿っておおよそ円弧状に延びる形状を有している。ここで、回転軸１１に対して平行な方向（軸方向）から翼２０を見た場合、後縁最外周部２２Ｔが位置している箇所には、後縁部２２に対する接線Ｌ１０を描くことができる。同様に、回転軸１１に対して平行な方向から翼２０を見た場合、後縁最外周部２２Ｔが位置している箇所と回転軸１１の位置とを結ぶように、直線Ｌ１１を描くことができる。接線Ｌ１０と直線Ｌ１１とのなす角度をαと定義すると、後縁最外周部２２Ｔは、角度αが６０°となる位置であってかつ最も回転半径方向の外側にある箇所に位置している。
【００３１】
プロペラファン３０を軸方向から見た場合、翼２０は、前縁部２１の前縁最外周部２１Ｔを先端にして、鎌状に尖った形状を有している。翼板部２５およびガイド部２６は、前縁部２１、前縁最外周部２１Ｔ、外周縁部２４、後縁最外周部２２Ｔ、後縁部２２および翼根部２３の内側に形成される。翼２０の表面（つまり、翼板部２５の表面およびガイド部２６の表面）は、全体として滑らかに曲成された形状を有している。
【００３２】
翼２０が矢印１２に示す方向に回転している際、翼２０の一方の表面は正圧面２０Ｐを形成し、翼２０の他方の表面は負圧面２０Ｓを形成する。正圧面２０Ｐは、軸方向において翼２０の噴出側に形成され、負圧面２０Ｓは、軸方向において翼２０の吸込側に形成される。翼２０は、負圧面２０Ｓ側（吸込側）から正圧面２０Ｐ側（噴出側）に向かって流れる気流を発生させる。翼２０の周囲で気流が発生することに伴って、翼２０の周囲には、正圧面２０Ｐで相対的に大きく、負圧面２０Ｓで相対的に小さいという圧力分布が形成される。
【００３３】
図６を参照して、翼２０の翼板部２５のうちの外周縁部２４寄りの部分は、いわゆる正キャンバー構造を有する。具体的には、翼２０の翼板部２５のうちの外周縁部２４寄りの部分は、食い違い角θＡを有している。図６に示すように、翼２０の翼板部２５のうちの外周縁部２４寄りの部分の断面形状について、前縁部２１上の点と後縁部２２上の点とを結ぶことにより、仮想直線Ｌ１が形成される。食い違い角θＡとは、仮想直線Ｌ１と回転軸１１とがこれらの間になす角度のことである。
【００３４】
翼２０の翼板部２５のうちの外周縁部２４寄りの部分は、前縁部２１および後縁部２２を両端としてその中腹部が仮想直線Ｌ１から負圧面２０Ｓ側（吸込側）に向かって遠ざかるように湾曲している。換言すると、翼２０の翼板部２５のうちの外周縁部２４寄りの部分は、正圧面２０Ｐ側が軸方向に凹となり且つ負圧面２０Ｓ側が軸方向に凸となるように反った形状を有している。
【００３５】
図７に示すように、翼２０の翼板部２５のうちの翼根部２３寄りの部分は、いわゆる逆キャンバー構造を有していることが好ましい。具体的には、翼２０の翼板部２５のうちの翼根部２３寄りの部分は、食い違い角θＢを有している。図７に示すように、翼２０の翼板部２５のうちの翼根部２３寄りの部分の断面形状について、前縁部２１上の点と後縁部２２上の点とを結ぶことにより、仮想直線Ｌ３が形成される。食い違い角θＢとは、仮想直線Ｌ３と回転軸１１とがこれらの間になす角度のことである。本実施の形態では、食い違い角θＢよりも、食い違い角θＡ（図６）の方が大きくなるように構成される。
【００３６】
翼２０の翼板部２５のうちの翼根部２３寄りの部分は、前縁部２１および後縁部２２を両端としてその中腹部が仮想直線Ｌ３から正圧面２０Ｐ側（噴出側）に向かって遠ざかるように湾曲している。換言すると、翼２０の翼板部２５のうちの翼根部２３寄りの部分は、正圧面２０Ｐ側が軸方向に凸となり且つ負圧面２０Ｓ側が軸方向に凹となるように反った形状を有している。
【００３７】
一方、翼板部２５よりも回転方向における後方に位置するガイド部２６（図６参照）は、いわゆる逆キャンバー構造を有する。翼２０のガイド部２６は、後縁最外周部２２Ｔよりも回転半径方向における内側の位置に設けられている。本実施の形態のガイド部２６は、翼板部２５のうちの外周縁部２４寄りの部分（正キャンバー構造を有している部分）の後端部に連続するように形成されるとともに、正圧面２０Ｐ側が軸方向に凸となり且つ負圧面２０Ｓ側が軸方向に凹となるように反った形状を有している。
【００３８】
図４に示すように、以上のような構成を有するガイド部２６においては、ガイド部２６の先端部２６ｄが周方向ＣＲよりも回転半径方向の外側を向くようにして、ガイド部２６が後縁部２２から延出していることが好ましい。本実施の形態では、ガイド部２６の根元部分（点２６ａ，２６ｂ間に位置する部分）の丁度中央の位置（点２６ｃの位置）と、ガイド部２６の延出方向における先端部２６ｄの位置とを直線で結んで矢印Ａ１を描いたとすると、この矢印Ａ１は、点２６ｃの位置を起点として周方向ＣＲよりも回転半径方向の外側を向いて延びている。周方向ＣＲとは、回転軸１１の位置を中心とし、かつ点２６ｃを通る正円によって描かれる周方向である。
【００３９】
回転軸１１に対して垂直な方向からガイド部２６を見た場合において（または、図４中の矢印Ａ１に示す位置におけるガイド部２６の断面形状を見た場合において）、ガイド部２６のすぐ下に、回転軸１１に対して垂直となる面ＳＳを規定したとする。この面ＳＳに対して、ガイド部２６の延出方向（点線Ｌ２に示す方向）がなしている角度をθとすると、ガイド部２６は、−１０°≦θ≦４５°の関係を具備していることが好ましい。本実施の形態においては、角度θは約１０°である。ガイド部２６の延出方向とは、ガイド部２６のうちの先端部２６ｄ寄りの部分の下面（正圧面２０Ｐ）によって規定される方向である。
【００４０】
（作用および効果）
図８は、プロペラファン３０の翼２０が動作している様子（負圧面２０Ｓ側から見た様子）を示す斜視図である。図９は、プロペラファン３０の翼２０が動作している様子を示す断面図である。図８および図９を参照して、翼２０の回転によって、矢印ＤＲ１，ＤＲ２（図９）に示すような気流が生成される。これにより、流体送り装置１００（図１）はたとえば扇風機として送風を実現することが可能となる。
【００４１】
矢印ＤＲ１は、負圧面２０Ｓ上を流れる気流の挙動を模式的に示しており、矢印ＤＲ２（図９）は、正圧面２０Ｐ上を流れる気流の挙動を模式的に示している。本実施の形態では、ガイド部２６が、翼板部２５よりも回転方向における後ろ側に位置し、回転方向とは反対の方向に向かって舌片状に延出したような形状を有する。ガイド部２６は、後縁最外周部２２Ｔよりも回転半径方向における内側の位置に設けられており、翼板部２５のうちの外周縁部２４寄りの部分（正キャンバー構造を有している部分）の後端部に連続するように形成されるとともに、正圧面２０Ｐ側が軸方向に凸となり且つ負圧面２０Ｓ側が軸方向に凹となるように反った形状（つまり逆キャンバー構造）を有している。
【００４２】
したがってこのような形状を有するガイド部２６によれば、翼２０の回転によって翼面上で発生した気流の挙動（その流体が進む方向やその流体の流量）は、流体が翼２０から離れる際に効果的に規定されることが可能となる。翼２０から流体が離れる際、流体の挙動は、ガイド部２６の表面形状に応じて規定される（定義される）ことになる。
【００４３】
逆キャンバー構造を有する舌片状のガイド部２６を後縁部２２に設けることによって、翼２０の翼面から噴出側（正面側）に向かって押し出される風を転向させることができるため、送風の範囲を広げたり、送風の範囲を狭くしたり、送風量を増加させたり、送風量を減少させたり、最大風速を速くしたり、最大風速を遅くしたりすることが可能となる。
【００４４】
図１０および図１１は、プロペラファン３０の翼２０の回転によって発生する翼端渦の挙動を説明するための側面図および平面図である。上述のとおり、翼２０は、負圧面２０Ｓ側（吸込側）から正圧面２０Ｐ側（噴出側）に向かって流れる気流を発生させる。翼２０の周囲で気流が発生することに伴って、翼２０の周囲には、正圧面２０Ｐで相対的に大きく、負圧面２０Ｓで相対的に小さいという圧力分布が形成される。これにより、翼２０の外周縁部２４の付近には翼端渦が発生する。本実施の形態においては、ガイド部２６の存在によって、翼端渦の一部の拡散方向が、外側を向くように転向される（矢印ＤＲ３参照）。ガイド部２６の形状を適切に設計することによって、翼端渦（風）の拡散方向のみならず、翼端渦の拡散の程度（風量）を調整することも可能となる。このような現象は、翼先端渦についてもあてはまる。
【００４５】
ここで、翼２０の外周縁部２４の付近で発生した翼端渦は、コアンダ効果により、遠心力に打ち勝って、外周縁部２４の回転方向前方から回転方向後方に向かって沿い続けながら流れることができる。外周縁部２４の回転方向最後方にさしかかった翼端渦は、コアンダ効果によりそのまま後縁部２２に沿って流れようとするが、後縁最外周部２２Ｔの近辺で翼２０の縁形状が周方向の向きから半径方向の向きに急激に変化しているため、コアンダ効果による力に対して遠心力が打ち勝ち、翼端渦が翼２０の縁から剥離し、ファンの下流側へと押し流される。剥離の起点になるポイント（コアンダ効果による力に対して遠心力が打ち勝つポイント）は概ね、翼２０の縁の接線（Ｌ１０）と半径方向とのなす角度（α）が６０°以下になる点である。この６０°になる点を、後縁最外周部２２Ｔと定義している。
【００４６】
なお、翼面に沿う流れが翼面から剥離する要因は、物体の形状、表面粗さ、圧力や遠心力など、様々なものがある。また、翼面に沿う流れが翼面から剥離するポイントは、流体の物性値（たとえば温度や粘性など）によっても左右される。したがって、剥離点は上記６０°の点から多少ずれる場合があるが、剥離点を６０°の点であるとして翼２０を設計することで、おおむね適切な送風性能を得ることができることが経験上判明している。
【００４７】
図１２および図１３は、プロペラファン３０の翼２０の回転によって発生する翼先端渦の挙動を説明するための側面図および平面図である。翼２０が回転している際、翼２０の周りには、前縁部２１の前縁最外周部２１Ｔ（翼先端部）を起点として回転方向の下流側に向かって流れる翼先端渦が発生する。本実施の形態においては、ガイド部２６の存在によって、翼先端渦の一部の拡散方向も、外側を向くように転向される（矢印ＤＲ４参照）。ガイド部２６の形状を適切に設計することによって、翼先端渦（風）の拡散方向のみならず、翼先端渦の拡散の程度（風量）を調整することも可能となる。
【００４８】
上述のような構成に限られず、プロペラファン３０は、７枚以外の複数枚の翼２０を備えていてもよいし、１枚のみの翼２０を備えていてもよい。プロペラファン３０は、扇風機やサーキュレータとしての流体送り装置１００に限られず、ヘアドライヤ、カールドライヤ、ペット用ドライヤ、エアーコンディショナ、ブロアー、空気清浄機、加湿機、除湿機、ファンヒータ、冷却装置または換気装置などの、様々な流体送り装置に用いられることもできる。これらいずれの場合においても、ガイド部２６の形状や大きさ、指向方向を適切に設定することによって、翼２０から送出される流体の挙動を所望の値に規定（定義）することが可能となる。
【００４９】
翼２０から送出される流体の挙動を規定できるということは、たとえば次のような効果を得ることが可能となる。上述のとおり、本実施の形態のガイド部２６においては、ガイド部２６の先端部２６ｄが周方向ＣＲよりも回転半径方向の外側を向くようにして、ガイド部２６が後縁部２２から延出している（図４参照）。すなわち、たとえば近年の扇風機においては、使い方が従来のものから変わり始めている。過去、扇風機は夏期に単独で用いられ、風を使用者に吹き付けることで使用者に涼感を与えるものであった。風量が大きくかつ風速も早い風を収束させて使用者に吹き付けることが求められていた。
【００５０】
その後、夏期にはエアコンが単独で用いられることが主流になり、扇風機は初夏または秋といった、エアコンを運転するほど暑くない時期に補助的に用いられるようになった。但し、扇風機に求められる要件ないし仕様は過去のものから変わっておらず、補助的な使用用途に合致するものではなかった。近年、地球環境保全および省エネルギーの観点から、夏期に、エアコンと扇風機とを併用することがある。併用により、部屋の温度ムラ（足元が冷たく、頭上が暑いといった状況）を解消できるとともに、風の吹き付けによって体感温度を下げることで、エアコンの設定温度を緩め（高め）に設定することが可能となる。
【００５１】
しかしながら、併用の場合、空気の温度がエアコンにより低くなっているため、従来のように風量が大きくかつ風速の早い風を収束させて使用者に吹き付けると、体温の過度な低下を招く場合がある。このことは、快適性を損なわせるだけでなく、風邪などを引き起こす可能性も考えられる。したがって、風量が大きくかつ風速も早い風を収束させて使用者に吹き付けるのではなく、風を広範囲に広げ、優しい風を作りたいという要望が存在している。遠心ファンや斜流ファンなどはこれに似たような要望に応えることができるが、風量がプロペラファンに比べて小さいため、これらのファンは「大風量の風を広範囲に送風したい」という要望に応えることは難しい。これのような要望に十分に応えるためには、プロペラファンの送風に対し、軸方向だけではなく強い半径方向成分を与える必要がある。
【００５２】
冒頭で述べたように、特許第４１３２８２６号公報（特許文献１）に開示されたプロペラファンは、後縁部にＵ字型のへこみが設けられた翼を備えている。Ｕ字型のへこみの近傍部分は、正キャンバー構造を有しているため、翼の他の部分と同じ作用効果を生じることになる。Ｕ字型のへこみの近傍部分の周り流れにおいては、翼端渦が支配的になり、周方向下流側に翼端渦を放出するのみとなる。特許文献１に開示されたプロペラファンでは、周縁部に生ずる翼端渦を半径方向外側に方向を曲げて放出することはできない。
【００５３】
これに対し、上述の実施の形態１におけるガイド部２６は、翼板部２５のうちの外周縁部２４寄りの部分（正キャンバー構造を有している部分）の後端部に連続するように形成されるとともに、正圧面２０Ｐ側が軸方向に凸となり且つ負圧面２０Ｓ側が軸方向に凹となるように反った形状（つまり逆キャンバー構造）を有している。さらに、ガイド部２６においては、ガイド部２６の先端部２６ｄが周方向ＣＲよりも回転半径方向の外側を向くようにして、ガイド部２６が後縁部２２から延出している。
【００５４】
このような構造を有するガイド部２６は、翼２０の外周縁部２４の付近に生じていた翼端渦に強い半径方向の力を作用させることができるとともに、特に、ガイド部２６の箇所に遠心力による半径方向成分の強い流れを生じさせることができ、この流れを半径方向内側から、翼２０の外周縁部２４に生ずる翼端渦に作用させることができるため、外周縁部２４の付近に生ずる翼端渦を半径方向外側に方向を曲げて放出することができる。
【００５５】
さらに、本実施の形態のガイド部２６は、回転軸１１に垂直となる面ＳＳに対して、ガイド部２６の延出方向（点線Ｌ２に示す方向）がなしている角度をθとすると、ガイド部２６は、−１０°≦θ≦４５°の関係を具備している。本実施の形態においては、角度θは約１０°である。この構成によると、後縁部２２に設けられたガイド部２６の向きが、下方向（軸方向）と比較してより横方向に指向することになるため、半径方向の外側に向かう流れが強まり、より大きく風を拡散することが可能となる。
【００５６】
また上述のとおり、本実施の形態のプロペラファン３０においては、翼２０の翼板部２５のうちの翼根部２３寄りの部分は、いわゆる逆キャンバー構造を有しており、翼２０の翼板部２５のうちの翼根部２３寄りの部分は、正圧面２０Ｐ側が軸方向に凸となり且つ負圧面２０Ｓ側が軸方向に凹となるように反った形状を有している。この構成によると、ガイド部２６を有する翼２０の拡散性能を高めることが可能となる。すなわち、翼２０の翼板部２５のうちの翼根部２３寄りの部分が逆キャンバー構造を有していれば、翼２０の翼板部２５の中央付近での送風能力が増加する。翼２０の翼板部２５の中央付近での送風能力が高いと、ガイド部２６による流体の転向の効果を十分に得ることが可能となり、ひいては風を十分に拡散することが可能となる。
【００５７】
［比較例］
図１４〜図２１を参照して、実施の形態１の比較例におけるプロペラファン３０Ｚについて説明する。図１４および図１５に示すように、プロペラファン３０Ｚの翼２０は、実施の形態１におけるガイド部２６に相当する部位を備えていないという点で、実施の形態１のプロペラファン３０とは異なっている。
【００５８】
図１６は、プロペラファン３０Ｚの翼２０が動作している様子（負圧面２０Ｓ側から見た様子）を示す斜視図である。図１７は、プロペラファン３０Ｚの翼２０が動作している様子を示す断面図である。図１６および図１７に示すように、ガイド部２６を後縁部２２に設けない場合には、翼２０の回転によって翼２０の周囲で発生した気流は、翼２０の後縁部２２に到達したとしてもそのまま特段規定されることなく（それまでの成り行きを変えることなく）、翼面の影響を受けた状態のままで翼２０から離れる。
【００５９】
図１８および図１９は、プロペラファン３０Ｚの翼２０の回転によって発生する翼端渦の挙動を説明するための側面図および平面図である。図１８および図１９に示すように、このような現象は、翼端渦についてもあてはまる（矢印ＤＲ３参照）。すなわち、比較例のプロペラファン３０Ｚにおいては、ガイド部２６が設けられていないため、翼端渦の拡散方向が転向されることもない。
【００６０】
図２０および図２１は、プロペラファン３０Ｚの翼２０の回転によって発生する翼先端渦の挙動を説明するための側面図および平面図である。図２０および図２１に示すように、このような現象は、翼先端渦についてもあてはまる（矢印ＤＲ４参照）。すなわち、比較例のプロペラファン３０Ｚにおいては、ガイド部２６が設けられていないため、翼先端渦の拡散方向が転向されることもない。
【００６１】
これに対して上述の実施の形態１によれば、逆キャンバー構造を有する舌片状のガイド部２６を後縁部２２に設けることによって、翼２０の翼面から噴出側（正面側）に向かって押し出される風を転向させることができるため、送風の範囲を広げたり、送風の範囲を狭くしたり、送風量を増加させたり、送風量を減少させたり、最大風速を速くしたり、最大風速を遅くしたりすることが可能となる。
【００６２】
［実施の形態２］
図２２は、負圧面側（吸込側）から見たプロペラファン３０Ａの翼２０を示す拡大平面図である。本実施の形態のプロペラファン３０Ａの翼２０においては、ガイド部２６の先端部２６ｄが周方向ＣＲを向くようにして、ガイド部２６が後縁部２２から延出している。具体的には、本実施の形態では、ガイド部２６の根元部分（点２６ａ，２６ｂ間に位置する部分）の丁度中央の位置（点２６ｃの位置）と、ガイド部２６の延出方向における先端部２６ｄの位置とを直線で結んで矢印Ａ２を描いたとすると、この矢印Ａ２は、点２６ｃの位置を起点として周方向ＣＲの接線方向と同一の方向を向いて延びている。周方向ＣＲの接線方向とは、周方向ＣＲ上の点２６ｃを通る接線の方向である。翼２０から流体が離れる際、流体の挙動は、ガイド部２６の表面形状に応じて規定されることになるため、実施の形態２の構成は、実施の形態１の場合に比べて風の拡散の程度を小さくできる。
【００６３】
［実施の形態３］
図２３は、負圧面側（吸込側）から見たプロペラファン３０Ｂの翼２０を示す拡大平面図である。本実施の形態のプロペラファン３０Ｂの翼２０においては、ガイド部２６の先端部２６ｄが周方向ＣＲよりも回転半径方向の内側を向くようにして、ガイド部２６が後縁部２２から延出している。具体的には、本実施の形態では、ガイド部２６の根元部分（点２６ａ，２６ｂ間に位置する部分）の丁度中央の位置（点２６ｃの位置）と、ガイド部２６の延出方向における先端部２６ｄの位置とを直線で結んで矢印Ａ３を描いたとすると、この矢印Ａ３は、点２６ｃの位置を起点として周方向ＣＲよりも回転半径方向の内側を向いて延びている。周方向ＣＲの接線方向とは、周方向ＣＲ上の点２６ｃを通る接線の方向である。翼２０から流体が離れる際、流体の挙動は、ガイド部２６の表面形状に応じて規定されることになるため、実施の形態３の構成は、実施の形態１，２の場合に比べて風の拡散の程度を小さくできる。
【００６４】
［実施の形態４］
図２４は、負圧面側（吸込側）から見たプロペラファン３０Ｃの翼２０を示す拡大平面図である。図２４に示すように、ガイド部２６は、後縁部２２のうちの半分よりも外周部寄りの位置に設けられていることが好ましい。
【００６５】
具体的には、回転軸１１を中心とする正円を考えた場合、後縁部２２は、半径Ｒ２の正円と半径Ｒ３の正円との間に形成されている。半径Ｒ２の正円ＣＲ２とは、後縁部２２の後縁最外周部２２Ｔを通る円であり、半径Ｒ３の正円とは、ボス部１０の外周部分を規定する円である。半径Ｒ１は、（半径Ｒ２＋半径Ｒ３）の半分の値である。ガイド部２６は、半径Ｒ１の正円ＣＲ１と半径Ｒ２の正円ＣＲ２との間に形成されていることが好ましい。より好ましくは、０．８×半径Ｒ２の半径を有する正円を描いた場合、ガイド部２６は、ガイド部２６の付け根部分の位置２６ａが、この正円の位置よりも回転半径方向の外側に位置しているとよい。本実施の形態では、ガイド部２６の先端部２６ｄが０．８２×半径Ｒ２の半径を有する正円上に位置するように構成されている。
【００６６】
これらの構成を採用した場合、翼端渦の進行方向をより適切に転向させることが可能となり、転向の効果を高めることができる。また、翼２０の半径方向外側の部分は、その内側の部分と比較して送風能力の高いため、内側にガイド部２６を設けるよりも外側ガイド部２６に設けた方が、転向の効果を高めることができる。
【００６７】
［実施の形態５］
図２５は、実施の形態５におけるプロペラファン３０Ｄの翼２０を示す断面図である。上述のとおり、ガイド部２６のすぐ下に、回転軸１１に対して垂直となる面ＳＳを規定したとする。この面ＳＳに対して、ガイド部２６の延出方向がなしている角度をθとすると、ガイド部２６は、−１０°≦θ≦４５°の関係を具備していることが好ましい。本実施の形態においては、角度θは０°である。当該構成によれば、回転半径方向の外側への風の大きな拡散効果を期待できる。
【００６８】
［実施の形態６］
図２６は、実施の形態６におけるプロペラファン３０Ｅの翼２０を示す断面図である。上述のとおり、ガイド部２６のすぐ下に、回転軸１１に対して垂直となる面ＳＳを規定したとする。この面ＳＳに対して、ガイド部２６の延出方向（点線Ｌ４に示す方向）がなしている角度をθとすると、ガイド部２６は、−１０°≦θ≦４５°の関係を具備していることが好ましい。本実施の形態においては、角度θは−１０°である。ガイド部２６の延出方向とは、ガイド部２６のうちの先端部２６ｄ寄りの部分の下面（正圧面２０Ｐ）によって規定される方向である。当該構成によっても、回転半径方向の外側への風の大きな拡散効果を期待できる。
【００６９】
［実施の形態７］
図２７は、実施の形態７におけるプロペラファン３０Ｆを示す側面図である。図２８は、負圧面側（吸込側）から見たプロペラファン３０Ｆを示す平面図である。本実施の形態においては、ガイド部２６が、外周縁部２４の回転方向における最後方の位置で、後縁最外周部２２Ｔに連続するように設けられている。一方で、上述の各実施の形態においては、ガイド部２６は、後縁部２２の後縁最外周部２２Ｔから離れた位置に設けられている。
【００７０】
実施の形態７におけるガイド部２６は、ガイド部２６の半径方向における外側縁のうちの外周縁部２４に接続している部分は、外周縁部２４と略同一の半径で外周縁部２４に連続するように形成されている。ガイド部２６は、ガイド部２６の正圧面２０Ｐ側が軸方向に凸となり且つガイド部２６の負圧面２０Ｓ側が軸方向に凹となるように反った形状を有している。実施の形態７の構成によっても、上述の各実施の形態と同様の作用および効果を得ることができる。
【００７１】
ただし、実施の形態７のガイド部２６は、半径方向の外側において外周縁部２４にそのまま接続しているため、翼端渦と翼先端渦とが並行しながら半径方向外側に放出される。翼端渦と翼先端渦とは、互いに融合して（衝突して）大きくなることがあり、渦が一つ後ろにある翼にぶつかる確率が高く、騒音が生ずるが場合ある。したがって実施の形態７の構成は、必要に応じて採用されるとよい。騒音の懸念がある場合には、上述の各実施の形態のように、ガイド部２６は、後縁部２２の後縁最外周部２２Ｔから離れた位置に設けられていることが好ましい。
【００７２】
（変形例）
図２９は、実施の形態７の変形例におけるプロペラファン３０Ｆａを示す平面図である。プロペラファン３０Ｆａのガイド部２６も、実施の形態７の場合と同様に、外周縁部２４の回転方向における最後方の位置で、後縁最外周部２２Ｔに連続するように設けられている。プロペラファン３０Ｆａと上述の実施の形態７のプロペラファン３０Ｆとは、実施の形態１〜６の場合と同様に、角度αが６０°となるような位置が存在しており、この位置に後縁最外周部２２Ｔが形成され、この後縁最外周部２２Ｔに連続するようにガイド部２６が形成されているという点において相違している。当該構成によっても、上述の各実施の形態と同様の作用および効果を得ることができる。
【００７３】
［実施の形態８］
図３０は、実施の形態８におけるプロペラファン３０Ｇを示す側面図である。図３１は、負圧面側（吸込側）から見たプロペラファン３０Ｇを示す平面図である。図３０および図３１に示すように、プロペラファン３０Ｇにおいては、外周縁部２４が、外周縁部２４の一部が回転半径方向の内側に向かって凹むようにして形成された切り欠き部２８を有している。
【００７４】
回転軸１１に対して平行な方向（軸方向）から翼２０を見た場合、切り欠き部２８が形成されている箇所には、接線Ｌ２０を描くことができる。同様に、回転軸１１に対して平行な方向から翼２０を見た場合、切り欠き部２８が位置している箇所と回転軸１１の位置とを結ぶように、直線Ｌ２１を描くことができる。接線Ｌ２０と直線Ｌ２１とのなす角度をβと定義すると、切り欠き部２８は、角度βが６０°以外（たとえば６４°）となる箇所に位置している。すなわち、切り欠き部２８は、後縁最外周部２２Ｔを構成するものではない。
【００７５】
この構成によると、一枚の翼２０によって小さな二枚分の翼２０が存在するかのような擬似的な効果が得られる。すなわち、あたかも翼枚数を増やしたかのような効果が得られ、圧力変動も小さくなる。小さく軽い翼２０によって送風が実現されるため、いわゆるバサバサ感といった大きな翼２０が生成するような雰囲気も小さくなる。このような構成は、半径方向外側に拡散した風が、内側の風と比較してなお強すぎるような場合に、切り欠き部２８を設けることでより快適性を高めることが可能となる。
【００７６】
（実験例）
図３２〜図３６を参照して、実施の形態８に関して行なった実験例について説明する。当該実験例では、図３２に示すプロペラファン３０Ｇａ（実施例１）と、図３３に示すプロペラファン３０Ｇｚ（比較例１）との性能を比較した。
【００７７】
図３２に示すプロペラファン３０Ｇａは、上記の実施の形態８におけるプロペラファン３０Ｇ（図３１）と略同様の特徴を有しており、その大きさは直径が約３２０ｍｍであり、全高が約５５ｍｍである。一方で、図３３に示すプロペラファン３０Ｇｚは、プロペラファン３０Ｇａ（図３２）と比較して、ガイド部２６を有していないという点において相違している。
【００７８】
図３４は、プロペラファン３０Ｇａ，３０Ｇｚのそれぞれについて、径方向の位置と風量との関係を求めた結果を示している。横軸の値が０（ゼロ）の位置は、プロペラファン３０Ｇａ，３０Ｇｚの径方向における中心位置を示しており、横軸で示される値はこの中心位置からの距離に等しい。縦軸は、ファンガード直近で測定した風速を示している。図３４に示される測定結果からすれば、実施例１の場合は、比較例１の場合よりも風が外側に向けて広がるように吹き出されており、風の吹き出す方向を制御できていることがわかる。
【００７９】
図３５は、プロペラファン３０Ｇａ，３０Ｇｚのそれぞれについて、回転数と風量との関係を求めた結果を示している。たとえば、回転数６６０ｒｐｍにおける風量は、４５ｍ３／ｍｉｎから５７ｍ３／ｍｉｎに上昇しており、回転数８９０ｒｐｍにおける風量は、６９ｍ３／ｍｉｎが８１ｍ３／ｍｉｎに上昇している。実施例１の場合は、比較例１の場合よりもガイド部２６のはたらきによって風が径方向外側に広がっており、同一回転数においてはより大きな（約２０％上昇した）風量が得られることがわかる。なおここで示している風量とは、日本工業規格（ＪＩＳ）Ｃ９６０１に基づいて測定した値である。
【００８０】
図３６は、プロペラファン３０Ｇａ，３０Ｇｚのそれぞれについて、風量と騒音との関係を求めた結果を示している。風量が同一である場合には、騒音が約３ｄＢ低減できていることがわかる。たとえば、風量が６９ｍ３／ｍｉｎである場合には（これは、比較例の回転数が８９０ｒｐｍであり、実施例１の回転数が７７０ｒｐｍである場合に得られる）、比較例１の騒音は４４ｄＢであるのに対して、実施例１の騒音は４１ｄＢである。すなわち、実施例１の場合は、騒音も小さくできることがわかる。なおここで示している騒音とは、日本電機工業会基準（ＪＥＭＡ）ＨＤ−１３０に基づいて測定した値である。
【００８１】
［実施の形態９］
（成形用金型）
本実施の形態では、上述の各実施の形態における各種のプロペラファンを樹脂を用いて成形するための成形用金型４０について説明する。
【００８２】
図３７は、プロペラファンの製造に用いられる成形用金型を示す断面図である。成形用金型４０は、固定側金型４２および可動側金型４１を有する。固定側金型４２および可動側金型４１により、プロペラファンと略同一形状であって、流動性の樹脂が注入されるキャビティ４３が規定されている。
【００８３】
成形用金型４０には、キャビティに注入された樹脂の流動性を高めるための図示しないヒータが設けられてもよい。このようなヒータの設置は、たとえば、ガラス繊維入りＡＳ樹脂のような強度を増加させた合成樹脂を用いる場合に特に有効である。
【００８４】
プロペラファンとして、材料に金属を用い、プレス加工による絞り成形により一体に形成するものがある。これらの成形は、厚い金属板では絞りが困難であり、質量も重くなるため、一般的には薄い金属板が用いられる。この場合、大きなプロペラファンでは、強度（剛性）を保つことが困難である。これに対して、翼部分より厚い金属板で形成したスパイダーと呼ばれる部品を用い、翼部分を回転軸に固定するものがあるが、質量が重くなり、ファンバランスも悪くなるという問題がある。また、一般的には、薄く、一定の厚みを有する金属板が用いられるため、翼部分の断面形状を翼型にすることができないという問題がある。これに対して、プロペラファンを樹脂を用いて形成することにより、これらの問題を一括して解決することができる。
【００８５】
以上、本発明に基づいた各実施の形態について説明したが、今回開示された各実施の形態はすべての点で例示であって制限的なものではない。本発明の技術的範囲は請求の範囲によって示され、請求の範囲と均等の意味および範囲内でのすべての変更が含まれることが意図される。
【符号の説明】
【００８６】
１０  ボス部、１１  回転軸、１２，Ａ１，Ａ２，Ａ３，ＤＲ１，ＤＲ２，ＤＲ３，ＤＲ４  矢印、２０  翼、２０Ｐ  正圧面、２０Ｓ  負圧面、２１  前縁部、２１Ｔ，２２Ｔ  最外周部、２２  後縁部、２３  翼根部、２４  外周縁部、２５  翼板部、２６  ガイド部、２６ａ  位置、２６ｃ  点、２６ｄ  先端部、２８  切り込み部、３０，３０Ａ，３０Ｂ，３０Ｃ，３０Ｄ，３０Ｅ，３０Ｆ，３０Ｆａ，３０Ｇ，３０Ｇａ，３０Ｇｚ，３０Ｚ  プロペラファン、４０  成形用金型、４１  可動側金型、４２  固定側金型、４３  キャビティ、１００  流体送り装置、ＣＲ  周方向、ＣＲ１，ＣＲ２  正円、Ｌ１，Ｌ３  仮想直線、Ｌ２，Ｌ４  線、Ｌ１０，Ｌ２０  接線、Ｌ１１，Ｌ２１  直線、Ｒ１，Ｒ２，Ｒ３  半径、ＳＳ  面。
【図１】
2016117413.tif 000003
【図２】
2016117413.tif 000004
【図３】
2016117413.tif 000005
【図４】
2016117413.tif 000006
【図５】
2016117413.tif 000007
【図６】
2016117413.tif 000008
【図７】
2016117413.tif 000009
【図８】
2016117413.tif 000010
【図９】
2016117413.tif 000011
【図１０】
2016117413.tif 000012
【図１１】
2016117413.tif 000013
【図１２】
2016117413.tif 000014
【図１３】
2016117413.tif 000015
【図１４】
2016117413.tif 000016
【図１５】
2016117413.tif 000017
【図１６】
2016117413.tif 000018
【図１７】
2016117413.tif 000019
【図１８】
2016117413.tif 000020
【図１９】
2016117413.tif 000021
【図２０】
2016117413.tif 000022
【図２１】
2016117413.tif 000023
【図２２】
2016117413.tif 000024
【図２３】
2016117413.tif 000025
【図２４】
2016117413.tif 000026
【図２５】
2016117413.tif 000027
【図２６】
2016117413.tif 000028
【図２７】
2016117413.tif 000029
【図２８】
2016117413.tif 000030
【図２９】
2016117413.tif 000031
【図３０】
2016117413.tif 000032
【図３１】
2016117413.tif 000033
【図３２】
2016117413.tif 000034
【図３３】
2016117413.tif 000035
【図３４】
2016117413.tif 000036
【図３５】
2016117413.tif 000037
【図３６】
2016117413.tif 000038
【図３７】
2016117413.tif 000039
【国際調査報告】
2016117413.tif 000040
2016117413.tif 000041
2016117413.tif 000042
2016117413.tif 000043